(57)【要約】【課題】任意の原稿画像を製本後に左右いずれのページにレイアウトさせるかを指定できかつ、画像が転写紙両面に集約配置される製本技術を提供すること。【解決手段】複数原稿画像を読み込む画像読込手段１と、原稿画像を記憶する記憶手段３と、原稿画像を転写紙に複写する両面複写手段７，８とを備え、転写紙の両面に、片面につき２枚の画像情報を、所定の順序で出力し、その出力された複数の転写紙を束ねて半分に折り、折った部分をステープラ等で止めて製本した時に、正しい画像情報の順序の冊子となるように複写されるデジタル複写装置において、右開きか左開きかを指定する入力手段６と、読み取られた任意の原稿画像を、製本後の冊子の状態において、左右いずれかのページに位置させるかを指定する入力手段６とを備え、製本時に、指定された画像が、指定された位置に印刷されるように、必要に応じて空白ページが作成されるように、複写位置が調整される。【選択図】　　　　図１
2004088204.tif 000002
【特許請求の範囲】
【請求項１】
複数の原稿画像を読み込む画像読込手段と、読み込まれた原稿画像を記憶する記憶手段と、原稿画像を転写紙に複写する両面複写手段とを備え、転写紙の両面に、片面につき２枚の画像情報を、所定の順序で出力し、その出力された複数の転写紙を束ねて半分に折り、折った部分をステープラ等で止めて製本した時に、正しい画像情報の順序の冊子となるように複写されるデジタル複写装置において、
右開きか左開きかを指定する入力手段と、読み取られた任意の原稿画像を、製本後の冊子の状態において、右ページまたは左ページに位置させるかを指定する入力手段とを備え、製本時に、指定された画像が、指定された位置に印刷されるように、必要に応じて空白ページが作成されるように、複写位置が調整されることを特徴とするデジタル複写装置。
【請求項２】
複数の原稿画像を読み込む画像読込手段と、読み込まれた原稿画像を記憶する記憶手段と、原稿画像を転写紙に複写する両面複写手段とを備え、転写紙１枚の両面に、それぞれｍ＝２ｎ（２，４，８，１６…）枚の画像情報を、複写面をｍ分割して、予め決められた位置で、かつ予め決められた方向で出力し、その出力された転写紙を決められた手順で折り、冊子の背となる部分をステープラ等で止め、それ以外の部分をはさみ等で切り離して製本した時に、正しい画像情報の順序の冊子となるように複写されるデジタル複写装置において、
右開きか左開きかを指定する入力手段と、読み取られた任意の原稿画像を、製本後の冊子の状態において、右ページまたは左ページに位置させるかを指定する入力手段とを備え、製本時に、指定された画像が、指定された位置に印刷されるように、必要に応じて空白ページが作成されるように、複写位置が調整されることを特徴とするデジタル複写装置。
【請求項３】
読み取られた原稿画像に対し、章区切りの位置を指定する手段を備え、空白ページを作成する時に、指定された章区切りの直前に前記空白ページを作成することを特徴とする請求項１に記載のデジタル複写装置。
【請求項４】
読み取られた原稿画像に対し、章区切りの位置を指定する手段を備え、空白ページを作成する時に、指定された章区切りの直前に前記空白ページを作成することを特徴とする請求項２に記載のデジタル複写装置。
【発明の詳細な説明】
【０００１】
【発明が属する技術分野】
本発明は、画像データをデジタル処理するデジタル複写装置に係わり、特に、複数枚の原稿データを所定のレイアウト処理を施して出力させることを可能にしたデジタル複写装置に関する。
【０００２】
【従来の技術】
従来から、複数枚の原稿から小冊子を作成する際に、複写された転写紙を束ねて２つ折りにし、折り目の部分をステープラ等で止めて製本する方法が知られている。
特開平６−３１６３６３号公報には、出力された転写紙を束ねて２つ折りすることによって小冊子を作成できるようにしたデジタル複写装置において、原稿画像を転写紙両面に集約配置して出力する製本技術が開示されている。
また、特許第３１１６６８４号公報には、同様のデジタル複写装置において、指定した原稿画像を見開きになるように出力させる製本技術が開示されている。
また、特開平１１−２２４０２７号公報には、同様のデジタル複写装置において、画像集約を伴わない両面印刷において、指定した原稿画像をおもて面に出力させる製本技術が開示されている。
【０００３】
【発明が解決しようとする課題】
しかし、従来技術においては、原稿画像を転写紙両面に集約配置し、転写紙を束ねて２つ折り、または４つ折り等して小冊子を作成する際に、任意のページを見開きの右ページまたは左ページに任意に配置するようにすることについては特に考慮されていない。
【０００４】
また、任意のページを見開きの右ページまたは左ページに任意に配置するようにすると共に、原稿に対して章区切り位置が指定されている場合、それに伴って生ずる空白ページをいかに配置するかについても特に考慮されていない。
本発明の第１の目的は、画像を集約してして転写紙に出力し、転写紙を束ねて２つ折りする製本技術において、任意の原稿画像を製本後に左右いずれのページにレイアウトさせるかを指定することを可能にし、指定されたレイアウトで画像を転写紙両面に集約配置して出力させることを可能にしたデジタル複写装置を提供することにある。
【０００５】
本発明の第２の目的は、画像を集約して転写紙に出力し、転写紙を４つ折り、８つ折り等して挟み等で切り込みを入れて冊子を作成する製本技術において、任意の原稿画像を製本後に左右いずれのページにレイアウトさせるかを指定することを可能にし、指定されたレイアウトで画像を転写紙両面に集約配置して出力させることを可能にしたデジタル複写装置を提供することにある。
【０００６】
本発明の第３の目的は、画像を集約してして転写紙に出力し、転写紙を束ねて２つ折りする、または転写紙を４つ折り、８つ折り等して挟み等で切り込みを入れて冊子を作成する製本技術において、任意の原稿画像を製本後に左右いずれのページにレイアウトさせるかを指定することを可能にし、指定されたレイアウトで画像を転写紙両面に集約配置して出力させることを可能にしたデジタル複写装置において、原稿に対して章区切り位置を指定し、空白ページを作成する場合は、空白ページを章区切りの直前に配置することにより、文章のつながり具合を良くしたデジタル複写装置を提供することにある。
【０００７】
【課題を解決するための手段】
本発明は、上記の課題を解決するために、次のような手段を採用した。
第１の手段は、複数の原稿画像を読み込む画像読込手段と、読み込まれた原稿画像を記憶する記憶手段と、原稿画像を転写紙に複写する両面複写手段とを備え、転写紙の両面に、片面につき２枚の画像情報を、所定の順序で出力し、その出力された複数の転写紙を束ねて半分に折り、折った部分をステープラ等で止めて製本した時に、正しい画像情報の順序の冊子となるように複写されるデジタル複写装置において、右開きか左開きかを指定する入力手段と、読み取られた任意の原稿画像を、製本後の冊子の状態において、右ページまたは左ページに位置させるかを指定する入力手段とを備え、製本時に、指定された画像が、指定された位置に印刷されるように、必要に応じて空白ページが作成されるように、複写位置が調整されることを特徴とする。
【０００８】
第２の手段は、複数の原稿画像を読み込む画像読込手段と、読み込まれた原稿画像を記憶する記憶手段と、原稿画像を転写紙に複写する両面複写手段とを備え、転写紙１枚の両面に、それぞれｍ＝２ｎ（２，４，８，１６…）枚の画像情報を、複写面をｍ分割して、予め決められた位置で、かつ予め決められた方向で出力し、その出力された転写紙を決められた手順で折り、冊子の背となる部分をステープラ等で止め、それ以外の部分をはさみ等で切り離して製本した時に、正しい画像情報の順序の冊子となるように複写されるデジタル複写装置において、
右開きか左開きかを指定する入力手段と、読み取られた任意の原稿画像を、製本後の冊子の状態において、右ページまたは左ページに位置させるかを指定する入力手段とを備え、製本時に、指定された画像が、指定された位置に印刷されるように、必要に応じて空白ページが作成されるように、複写位置が調整されることを特徴とする。
【０００９】
第３の手段は、第１の手段において、読み取られた原稿画像に対し、章区切りの位置を指定する手段を備え、空白ページを作成する時に、指定された章区切りの直前に前記空白ページを作成することを特徴とする。
第４の手段は、第２の手段において、読み取られた原稿画像に対し、章区切りの位置を指定する手段を備え、空白ページを作成する時に、指定された章区切りの直前に前記空白ページを作成することを特徴とする。
【００１０】
【発明の実施の形態】
以下に、本発明の実施形態を図面を用いて説明する。
図１は、本発明に係るデジタル複写装置の構成を示すブロック図である。
同図に示すように、このデジタル複写装置は、画像読取部１、排紙部２、記憶部３、主制御部４、給紙部５、入力部・表示部６、記録部７、反転部８等で構成されている。図中、実線の矢印は制御信号の流れ、鎖線の矢印は画像情報の流れ、破線の矢印は転写紙の流れをそれぞれ示す。
【００１１】
最初に、通常の複写動作について説明すると、原稿を画像読取部１にセットし、この原稿の画像情報をスキャナにより光学的に読み取り、光学画像情報を光電変換してデジタル信号に変換する。デジタル化された原稿画像情報を記録部７に送り、給紙部５を通して送られてきた転写紙に画像として記録する。
【００１２】
次に、複数ページの原稿を用いて、左開きに製本する場合の２種類（２つ折りおよび４つ折り）の複写動作について図１ないし図５を用いて説明する。
ここで、図２は複数枚の原稿、図３は原稿画像のレイアウトを指定せずに複写された２つ折りされる転写紙、図４は原稿画像のレイアウトを指定せずに複写された４つ折りされる転写紙、図５は、図３または図４に示す転写紙が製本されて、冊子の見開きページの状態を示す図である。
【００１３】
なお、複写する原稿は、図２に示すように、６ページであり、最初に、図３に示すように、２つ折り製本を行う場合について説明する。
図１のデジタル複写装置に従って説明すると、６ページの原稿を画像読取部１にセットする。この原稿の画像情報をスキャナにより光学的に読み取り、この光学画像情報を光電変換してデジタル信号に変換する。デジタル化された原稿画像情報は記憶部３に蓄積される。原稿を全て読み取った時点で主制御部４では原稿枚数を数え、２つ折り製本に必要な画像出力順序を計算する。ここでは、原稿は６枚であるから、最初の転写紙１には　図３から明らかなように、まず１ページ目を右ページに出力し、その裏面に２ページ目を左ページに出力し、次の転写紙２には６ページ目と３ページ目、その裏面には４ページ目と５ページ目を出力する。このように複写順序が判明したら、主制御部４は複写動作を開始する。まず記憶部３に格納されている画像データのうち１ページ目を読み出し、記録部７へ送る。さらに給紙部５への紙送りの指示を行い、給紙部５から送られてきた転写紙の表面に記録部７において複写を行う。
【００１４】
このデジタル複写装置では、記録部７から排出された転写紙１が排紙部２もしくは反転部８へ流れるようになっており、両面複写装置の構成を示している。両面複写を行う場合、記録部７を出た転写紙は反転部８へと行き、転写紙１の裏面に記録されるように転写紙１は反転されて再度記録部７へと送られる。この時、主制御部４は記憶部３から画像データのうち２ページ目の画像を読み出し記録部７へ送る。これにより転写紙１には表面には１ページ目、裏面には２ページ目が複写され、排紙部２から排出される。
【００１５】
次に、転写紙２への複写動作は、記録部７に送られる画像データが異なることを除いて以上の動作と全く同じである。２枚目の転写紙２の表面の複写時に画像データのうち６ページ目と３ページ目が送られ、裏面の複写時には４ページ目と５ページ目が送られる。以上の動作により２つ折り製本が可能な転写紙１，２が得られる。
得られた転写紙１，２は、各々の裏面側の両ページが内側になるように２つ折りして、転写紙１の裏面側に転写紙２の表面側を重ね合わせることにより、図５に示すような、製本化された冊子の各見開きページが得られる。
【００１６】
次に、図４に示すように、４つ折り製本を行う場合について説明する。
図１のデジタル複写装置において、６ページの原稿が画像読取部１で読み取られると、主制御部４では原稿枚数を数え、４つ折り製本に必要な画像出力順序を計算する。転写紙には、図４から明らかなように、表面の上段の左ページに１ページ目と下段に４ページ目と５ページ目を出力し、その裏面の上段の右ページに２ページ目と下段に６ページ目と３ページを出力する。このように複写順序が判明したら、主制御部４は複写動作を開始し、まず記憶部３に格納されている画像データのうち１ページ目と４ページ目と５ページ目を読み出し、記録部７へ送る。さらに給紙部５への紙送りの指示を行い、給紙部５から送られてきた転写紙の表面に記録部７において複写を行う。
【００１７】
次に、両面複写を行うため、記録部７を出た転写紙は反転部８へと行き、転写紙１の裏面に記録されるように転写紙は反転されて再度記録部７へと送られ、主制御部４は記憶部３から画像データのうち２ページ目と６ページ目と３ページの画像を読み出し記録部７へ送る。これにより転写紙には表面には１ページ目と４ページ目と５ページ目、裏面には２ページ目と６ページ目と３ページが複写され、排紙部２から排出される。
得られた転写紙は、裏面側の上下ページが内側になるように２つ折りし、さらに２つ折りされた転写紙の４ページと５ページとが互いに内側になるように２つ折りし、前記上下に２つ折りした箇所を挟み等で切り離すことにより、図５に示すような、製本化された冊子の各見開きページが得られる。
【００１８】
次に、複数ページの原稿を用いて、左開きに製本する場合であって、原稿４を右ページに指定する場合の２種類（２つ折りおよび４つ折り）の複写動作について図１，２および図６ないし図８を用いて説明する。
ここで、図６は原稿画像のレイアウトが指定されて複写された２つ折りされる転写紙、図７は原稿画像のレイアウトが指定されて複写された４つ折りされる転写紙、図８は、図６または図７に示す転写紙が製本されて、冊子の各見開きページの状態を示す図である。
【００１９】
最初に、図６に示すように、２つ折り製本を行う場合について説明する。
図１のデジタル複写装置において、図２に示す６ページの原稿を画像読取部１で読み取り、主制御部４では、原稿枚数を数え、さらにレイアウト指定された原稿（ここでは原稿４）のレイアウト指定内容を調べ、右ページ指定でかつ、原稿画像が先頭から偶数ページ目なら、直前に空白ページを挿入して、指定原稿画像が右ページに位置するように処理し、２つ折り製本に必要な画像出力順序を計算する。最初の転写紙１には　図６から明らかなように、まず１ページ目を右ページに出力し、その裏面に２ページ目と６ページ目を出力し、次の転写紙２には５ページ目と３ページ目、その裏面には空白ページと４ページ目を出力する。このように複写順序が判明したら、主制御部４は複写動作を開始し、記憶部３に格納されている画像データのうち１ページ目を読み出し、記録部７へ送る。さらに給紙部５への紙送りの指示を行い、給紙部５から送られてきた転写紙１の表面に記録部７において複写を行う。記録部７を出た転写紙１は反転部８へと行き、転写紙１の裏面に記録されるように転写紙１は反転されて再度記録部７へと送られる。この時、主制御部４は記憶部３から画像データのうち２ページ目と６ページ目の画像を読み出し記録部７へ送る。これにより転写紙１には表面には１ページ目、裏面には２ページ目と６ページ目が複写され、排紙部２から排出される。
【００２０】
次に、転写紙２への複写動作は、記録部７に送られる画像データが異なることを除いて以上の動作と同じであり、転写紙２の表面の複写時に画像データのうち５ページ目と３ページ目が送られ、裏面の複写時には空白ページと４ページ目が送られる。以上の動作により２つ折り製本が可能な転写紙１，２が得られる。
得られた転写紙１，２は、各々の裏面側の両ページが内側になるように２つ折りして、転写紙１の裏面側に転写紙の表面側を重ね合わせることにより、図８に示すような、４ページ目が右ページに指定され、４ページの左ページが空白ページに指定された製本化された冊子の各見開きページが得られる。
【００２１】
次に、図７に示すように、４つ折り製本を行う場合について説明する。
図１のデジタル複写装置において、６ページの原稿が画像読取部１で読み取られると、主制御部４では原稿枚数を数え、さらにレイアウト指定された原稿（ここでは原稿４）のレイアウト指定内容を調べ、右ページ指定でかつ、原稿画像が先頭から偶数ページ目なら、直前に空白ページを挿入して、指定原稿画像が右ページに位置するように処理し、４つ折り製本に必要な画像出力順序を計算する。転写紙には、図７に示すように、表面の上段の右ページに１ページ目、下段に空白ページと４ページ目を出力し、その裏面の上段に６ページ目と２ページ目、下段に５ページ目と３ページを出力する。このように複写順序が判明したら、主制御部４は複写動作を開始し、まず記憶部３に格納されている画像データのうち１ページ目と４ページ目を読み出し、記録部７へ送る。さらに給紙部５への紙送りの指示を行い、給紙部５から送られてきた転写紙の表面に記録部７において複写を行う。
【００２２】
次に、両面複写を行うため、記録部７を出た転写紙は反転部８へと行き、転写紙の裏面に記録されるように転写紙は反転されて再度記録部７へと送られ、主制御部４は記憶部３から画像データのうち６ページ目と２ページ目と５ページ目と３ページ目の画像を読み出し記録部７へ送る。これにより転写紙には表面には１ページ目と空白ページと４ページ目、裏面には６ページ目と２ページ目と５ページ目と３ページが複写され、排紙部２から排出される。
【００２３】
得られた転写紙は、裏面側の上下ページが内側になるように２つ折りし、さらに２つ折りされた空白ページと４ページとが互いに内側になるように２つ折りし、前記上下に２つ折りした箇所を切り離すことにより、図８に示すように、４ページ目が右ページに指定され、４ページの左ページが空白ページに指定された製本化された冊子の各見開きページが得られる。
次に、複数ページの原稿を用いて、左開きに製本する場合であって、原稿５を左ページに指定する場合の２種類（２つ折りおよび４つ折り）の複写動作について図１，２および図９ないし図１１を説明する。
【００２４】
ここで、図９は原稿画像のレイアウトが指定されて複写された２つ折りされる転写紙、図１０は原稿画像のレイアウトが指定されて複写された４つ折りされる転写紙、図１１は、図９または図１０に示す転写紙が製本されて、小冊子の各見開きページの状態を示す図である。
最初に、図９に示すように、２つ折り製本を行う場合について説明する。
図１のデジタル複写装置において、図２に示す６ページの原稿を画像読取部１で読み取り、主制御部４では、原稿枚数を数え、さらにレイアウト指定された原稿（ここでは原稿５）のレイアウト指定内容を調べ、左ページ指定でかつ、原稿画像が先頭から奇数ページ目なら、直前に空白ページを挿入して、指定原稿画像が左ページに位置するように処理し、２つ折り製本に必要な画像出力順序を計算する。最初の転写紙１には　図９に示すように、表面の右ページに１ページ目を出力し、その裏面に２ページ目と６ページ目を出力し、転写紙２には５ページ目と３ページ目、その裏面には４ページ目と空白ページを出力する。このように複写順序が判明したら、主制御部４は複写動作を開始し、記憶部３に格納されている画像データのうち１ページ目を読み出し、記録部７へ送る。さらに給紙部５への紙送りの指示を行い、給紙部５から送られてきた転写紙１の表面に記録部７において複写を行う。
【００２５】
記録部７を出た転写紙１は反転部８へと行き、転写紙１の裏面に記録されるように転写紙１は反転されて再度記録部７へと送られる。この時、主制御部４は記憶部３から画像データのうち２ページ目と６ページ目の画像を読み出し記録部７へ送る。これにより転写紙１には表面には１ページ目、裏面には２ページ目と６ページ目が複写され、排紙部２から排出される。
【００２６】
次に、転写紙２への複写動作は、記録部７に送られる画像データが異なることを除いて以上の動作と同じであり、転写紙２の表面の複写時に画像データのうち５ページ目と３ページ目が送られ、裏面の複写時には４ページ目と空白ページが送られる。以上の動作により２つ折り製本が可能な転写紙１，２が得られる。
得られた転写紙１，２は、各々の裏面側の両ページが内側になるように２つ折りして、転写紙１の裏面側に転写紙の表面側を重ね合わせることにより、図１１に示すような、５ページ目が左ページに指定され、５ページの前ページが空白に指定された製本化された小冊子の各見開きページが得られる。
【００２７】
次に、図１０に示すように、４つ折り製本を行う場合について説明する。
図１のデジタル複写装置において、６ページの原稿が画像読取部１で読み取られると、主制御部４では原稿枚数を数え、さらにレイアウト指定された原稿（ここでは原稿５）のレイアウト指定内容を調べ、左ページ指定でかつ、原稿画像が先頭から奇数ページ目なら、直前に空白ページを挿入して、指定原稿画像が左ページに位置するように処理し、４つ折り製本に必要な画像出力順序を計算する。転写紙には、図１０から明らかなように、表面の上段の左ページに１ページ目、下段に４ページ目と空白ページを出力し、その裏面の上段に６ページ目と２ページ目、下段に５ページ目と３ページを出力する。このように複写順序が判明したら、主制御部４は複写動作を開始し、記憶部３に格納されている画像データのうち１ページ目と４ページ目を読み出し、記録部７へ送る。さらに給紙部５への紙送りの指示を行い、給紙部５から送られてきた転写紙の表面に記録部７において複写を行う。
【００２８】
次に、両面複写を行うため、記録部７を出た転写紙は反転部８へと行き、転写紙の裏面に記録されるように転写紙は反転されて再度記録部７へと送られ、主制御部４は記憶部３から画像データのうち６ページ目と２ページ目と５ページ目と３ページ目の画像を読み出し記録部７へ送る。これにより転写紙には表面には１ページ目と４ページ目と空白ページ、裏面には６ページ目と２ページ目と５ページ目と３ページが複写され、排紙部２から排出される。
【００２９】
得られた転写紙は、裏面側の上下ページが内側になるように２つ折りし、さらに２つ折りされた４ページと空白ページとが互いに内側になるように２つ折りし、前記上下に２つ折りした箇所を切り離すことにより、図１１に示すような、５ページ目が左ページに指定され、５ページの前ページが空白に指定された製本化された小冊子の各見開きページが得られる。
【００３０】
次に、複数ページの原稿を用いて、左開きに製本する場合であって、原稿４を右ページに指定し、原稿１，３を章区切り指定する場合の２種類（２つ折りおよび４つ折り）の複写動作について図１，２および図１２ないし図１４を用いて説明する。ここで、図１２は原稿画像のレイアウトが指定されて複写された２つ折りされる転写紙、図１３は原稿画像のレイアウトが指定されて複写された４つ折りされる転写紙、図１４は、図１２または図１３に示す転写紙が製本されて、冊子の各見開きページの状態を示す図である。
【００３１】
最初に、図１２に示すように、２つ折り製本を行う場合について説明する。
図１のデジタル複写装置において、図２に示す６ページの原稿を画像読取部１で読み取り、主制御部４では、原稿枚数を数え、さらにレイアウト指定された原稿（ここでは原稿４）のレイアウト指定内容を調べ、右ページ指定でかつ、原稿画像が先頭から偶数ページ目なら、続いてレイアウト指定された原稿より前の原稿で、章区切り指定された原稿を調べ、あれば（ここでは原稿３）章区切りの直前に空白ページを挿入するように処理し、２つ折り製本に必要な画像出力順序を計算する。最初の転写紙１には　図１２に示すように、まず右ページに１ページ目を出力し、その裏面に２ページ目と６ページ目を出力し、転写紙２には５ページ目と空白ページ、その裏面には３ページ目と４ページを出力する。このように複写順序が判明したら、主制御部４は複写動作を開始し、記憶部３に格納されている画像データのうち１ページ目を読み出し、記録部７へ送る。さらに給紙部５への紙送りの指示を行い、給紙部５から送られてきた転写紙１の表面に記録部７において複写を行う。
【００３２】
記録部７を出た転写紙１は反転部８へと行き、転写紙１の裏面に記録されるように転写紙１は反転されて再度記録部７へと送られる。この時、主制御部４は記憶部３から画像データのうち２ページ目と６ページ目の画像を読み出し記録部７へ送る。これにより転写紙１には表面には１ページ目、裏面には２ページ目と６ページ目が複写され、排紙部２から排出される。
【００３３】
次に、転写紙２への複写動作は、記録部７に送られる画像データが異なることを除いて以上の動作と同じであり、転写紙２の表面の複写時に画像データのうち５ページ目と空白ページが送られ、裏面の複写時には３ページ目と４ページが送られる。以上の動作により２つ折り製本が可能な転写紙１，２が得られる。
【００３４】
得られた転写紙１，２は、各々の裏面側の両ページが内側になるように２つ折りして、転写紙１の裏面側に転写紙の表面側を重ね合わせることにより、図１４に示すような、４ページ目が右ページに指定され、章区切りされた３ページの前ページが空白に指定された製本化された小冊子の各見開きページが得られる。
【００３５】
次に、図１３に示すように、４つ折り製本を行う場合について説明する。
図１のデジタル複写装置において、６ページの原稿が画像読取部１で読み取られると、主制御部４では原稿枚数を数え、さらにレイアウト指定された原稿（ここでは原稿４）のレイアウト指定内容を調べ、右ページ指定でかつ、原稿画像が先頭から偶数ページ目なら、続いてレイアウト指定された原稿より前の原稿で、章区切り指定された原稿を調べ、あれば（ここでは原稿３）章区切りの直前に空白ページを挿入するように処理し、４つ折り製本に必要な画像出力順序を計算する。転写紙には、図１３から明らかなように、表面の上段の左ページに１ページ目、下段に３ページ目と４ページ目を出力し、その裏面の上段に６ページ目と２ページ目、下段に５ページ目と空白ページを出力する。このように複写順序が判明したら、主制御部４は複写動作を開始し、記憶部３に格納されている画像データのうち１ページ目と３ページ目と４ページ目を読み出し、記録部７へ送る。さらに給紙部５への紙送りの指示を行い、給紙部５から送られてきた転写紙の表面に記録部７において複写を行う。
【００３６】
次に、両面複写を行うため、記録部７を出た転写紙は反転部８へと行き、転写紙の裏面に記録されるように転写紙は反転されて再度記録部７へと送られ、主制御部４は記憶部３から画像データのうち６ページ目と２ページ目と５ページ目との画像を読み出し記録部７へ送る。これにより転写紙には表面には１ページ目と３ページ目と４ページ目、裏面には６ページ目と２ページ目と５ページ目と空白ージが複写され、排紙部２から排出される。
得られた転写紙は、裏面側の上下ページが内側になるように２つ折りし、さらに２つ折りされた３ページと４ページとが互いに内側になるように２つ折りし、前記上下に２つ折りした箇所を切り離すことにより、図１３に示すような、４ページ目が右ページに指定され、３ページの前ページが空白に指定された製本化された小冊子の各見開きページが得られる。
【００３７】
次に、複数ページの原稿を用いて、左開きに製本する場合であって、原稿５を左ページに指定し、原稿１，３を章区切り指定する場合の２種類（２つ折りおよび４つ折り）の複写動作について図１，２および図１２ないし図１４を説明する。
【００３８】
最初に、図１２に示すように、２つ折り製本を行う場合について説明する。
図１のデジタル複写装置において、図２に示す６ページの原稿を画像読取部１で読み取り、主制御部４では、原稿枚数を数え、さらにレイアウト指定された原稿（ここでは原稿５）のレイアウト指定内容を調べ、左ページ指定でかつ、原稿画像が先頭から奇数ページ目なら、続いてレイアウト指定された原稿より前の原稿で、章区切り指定された原稿を調べ、あれば（ここでは原稿３）章区切りの直前に直前に空白ページを挿入するように処理し、２つ折り製本に必要な画像出力順序を計算する。最初の転写紙１には　図１２に示すように、まず左ページに１ページ目を出力し、その裏面に２ページ目と６ページ目を出力し、次の転写紙２には５ページ目と空白ページ、その裏面には３ページ目と４ページを出力する。このように複写順序が判明したら、主制御部４は複写動作を開始し、記憶部３に格納されている画像データのうち１ページ目を読み出し、記録部７へ送る。さらに給紙部５への紙送りの指示を行い、給紙部５から送られてきた転写紙１の表面に記録部７において複写を行う。
【００３９】
記録部７を出た転写紙１は反転部８へと行き、転写紙１の裏面に記録されるように転写紙１は反転されて再度記録部７へと送られる。この時、主制御部４は記憶部３から画像データのうち２ページ目と６ページ目の画像を読み出し記録部７へ送る。これにより転写紙１には表面には１ページ目、裏面には２ページ目と６ページ目が複写され、排紙部２から排出される。
【００４０】
次に、転写紙２への複写動作は、記録部７に送られる画像データが異なることを除いて以上の動作と同じであり、転写紙２の表面の複写時に画像データのうち５ページ目と空白ページが送られ、裏面の複写時には３ページ目と４ページが送られる。以上の動作により２つ折り製本が可能な転写紙１，２が得られる。
【００４１】
得られた転写紙１，２は、各々の裏面側の両ページが内側になるように２つ折りして、転写紙１の裏面側に転写紙２の表面側を重ね合わせることにより、図１４に示すような、５ページ目が左ページに指定され、章区切りされた３ページの前ページが空白に指定された製本化された冊子の各見開きページが得られる。
【００４２】
次に、図１３に示すように、４つ折り製本を行う場合について説明する。
図１のデジタル複写装置において、６ページの原稿が画像読取部１で読み取られると、主制御部４では原稿枚数を数え、さらにレイアウト指定された原稿（ここでは原稿５）のレイアウト指定内容を調べ、左ページ指定でかつ、原稿画像が先頭から奇数ページ目なら、続いてレイアウト指定された原稿より前の原稿で、章区切り指定された原稿を調べ、あれば（ここでは原稿３）章区切りの直前に空白ページを挿入するように処理し、４つ折り製本に必要な画像出力順序を計算する。転写紙には、図１３から明らかなように、表面の上段の左ページに１ページ目、下段に３ページ目と４ページ目を出力し、その裏面の上段に６ページ目と２ページ目、下段に５ページ目と空白ページを出力する。このように複写順序が判明したら、主制御部４は複写動作を開始し、記憶部３に格納されている画像データのうち１ページ目と３ページ目と４ページ目を読み出し、記録部７へ送る。さらに給紙部５への紙送りの指示を行い、給紙部５から送られてきた転写紙の表面に記録部７において複写を行う。
【００４３】
次に、両面複写を行うため、記録部７を出た転写紙は反転部８へと行き、転写紙の裏面に記録されるように転写紙は反転されて再度記録部７へと送られ、主制御部４は記憶部３から画像データのうち６ページ目と２ページ目と５ページ目との画像を読み出し記録部７へ送る。これにより転写紙には表面には１ページ目と３ページ目と４ページ目、裏面には６ページ目と２ページ目と５ページ目と空白ージが出力され、排紙部２から排出される。
【００４４】
得られた転写紙は、裏面側の上下ページが内側になるように２つ折りし、さらに２つ折りされた３ページと４ページとが互いに内側になるように２つ折りし、前記上下に２つ折りした箇所を切り離すことにより、図１４に示すような、５ページ目が左ページに指定され、３ページの前ページが空白に指定された製本化された小冊子の各見開きページが得られる。
【００４５】
図１５は、図１の主制御部４におけるレイアウト処理の処理手順を示すフローチャートであり、このフローチャートは上記の図１ないし図１４において説明した各レイアウト処理に相当する。
ステップ１にて、まず、複数原稿画像の中から先頭原稿画像を読み込む、この原稿画像について右ページまたは左ページへのレイアウト指定があるか否かを判定する。指定がない場合は、ステップ３に移行し、並べ替えすることなく、ステップ４にて、次画像の有無を判定し、次画像有りの場合は、ステップ５にて次の原稿画像を読み取り、ステップ２に移行する。次画像無しの場合はレイアウト処理を終了する。ステップ２にて、レイアウト指定ありの場合は、ステップ６にて、それが右ページ指定かを判定し、右ページ指定でない場合は、ステップ７にて、左ページ指定と判定する。ステップ６にて右ページが指定されている場合は、ステップ８にて、指定された原稿画像が偶数ページ目に配置されるか否かを判定する。偶数ページでない場合はステップ３に移行し並べ替えは行われない。偶数ページの場合は、ステップ１０に移行する。同様に、ステップ７にて左ページが指定された場合は、ステップ９にて、指定された原稿画像が奇数ページ目に配置されるか否かを判定する。奇数ページでない場合はステップ３に移行し並べ替えは行われない。奇数ページの場合は、ステップ１０に移行する。ステップ１０では、章区切り機能を有しており、現在の画像より前に章区切り指定された画像があるか否かを判定する。ＮＯの場合は、ステップ１２にて現在の画像の位置に空白ページを挿入し、現在の画像以降の画像の全てを１ページ後ろにずらす処理を行い、ステップ４に移行する。ＹＥＳの場合は、ステップ１１にて、直前の章区切り指定画像の位置に空白ページを挿入し、その章区切り指定画像以降の全画像を１ページ後ろにずらす処理を行い、ステップ４に移行する。
【００４６】
【発明の効果】
請求項１に記載の発明によれば、複数の原稿画像を読み込む画像読込手段と、読み込まれた原稿画像を記憶する記憶手段と、原稿画像を転写紙に複写する両面複写手段とを備え、転写紙の両面に、片面につき２枚の画像情報を、所定の順序で出力し、その出力された複数の転写紙を束ねて半分に折り、折った部分をステープラ等で止めて製本した時に、正しい画像情報の順序の冊子となるように複写されるデジタル複写装置において、右開きか左開きかを指定する入力手段と、読み取られた任意の原稿画像を、製本後の冊子の状態において、右ページまたは左ページに位置させるかを指定する入力手段とを備え、製本時に、指定された画像が、指定された位置に印刷されるように、必要に応じて空白ページが作成されるように、複写位置が調整されるようにしたので、右開きまたは左開きの製本後に、指定した原稿を、ぺージをめくった時に、左右どちらのぺージに配置するか指定することを可能としているので、２ぺージで一組の画像を見開きに配置したり、章ごとの見出しの位置を左右ぺージどちらかに統一するような製本レイアウトを、１つの機能で実現することができる。
【００４７】
請求項２に記載の発明によれば、複数の原稿画像を読み込む画像読込手段と、読み込まれた原稿画像を記憶する記憶手段と、原稿画像を転写紙に複写する両面複写手段とを備え、転写紙１枚の両面に、それぞれｍ＝２ｎ（２，４，８，１６…）枚の画像情報を、複写面をｍ分割して、予め決められた位置で、かつ予め決められた方向で出力し、その出力された転写紙を決められた手順で折り、冊子の背となる部分をステープラ等で止め、それ以外の部分をはさみ等で切り離して製本した時に、正しい画像情報の順序の冊子となるように複写されるデジタル複写装置において、右開きか左開きかを指定する入力手段と、読み取られた任意の原稿画像を、製本後の冊子の状態において、右ページまたは左ページに位置させるかを指定する入力手段とを備え、製本時に、指定された画像が、指定された位置に印刷されるように、必要に応じて空白ページが作成されるように、複写位置が調整されるようにしたので、右開きまたは左開きの製本後に、指定した原稿を、ページをめくった時に、左右どちらのぺージに配置するか指定することを可能としているので、２ページで一組の画像を見開きに配置したり、章ごとの見出しの位置を左右ページどちらかに統一するような製本レイアウトを、１つの機能で実現することができる。
【００４８】
請求項３に記載の発明によれば、請求項１に記載の発明において、読み取られた原稿画像に対し、章区切りの位置を指定する手段を備え、空白ページを作成する時に、指定された章区切りの直前に前記空白ページを作成するようにしたので、画像のレイアウトを指定したときに、レイアウトを実現するために挿入する空白ページを、予め指定した章区切りの直前に配置させることが可能となるので、文書の前後のつながりに違和感のない製本を行うことができる。
【００４９】
請求項４に記載の発明によれば、請求項２に記載の発明において、読み取られた原稿画像に対し、章区切りの位置を指定する手段を備え、空白ページを作成する時に、指定された章区切りの直前に前記空白ページを作成するようにしたので、画像のレイアウトを指定したときに、レイアウトを実現するために挿入する空白ページを、予め指定した章区切りの直前に配置させることが可能となるので、文書の前後のつながりに違和感のない製本を行うことができる。
【図面の簡単な説明】
【図１】本発明に係るデジタル複写装置の構成を示すブロック図である。
【図２】複数ページの原稿を示す図である。
【図３】原稿画像のレイアウトを指定せずに複写された２つ折りされる転写紙を示す図である。
【図４】原稿画像のレイアウトを指定せずに複写された４つ折りされる転写紙を示す図である。
【図５】図３または図４に示す転写紙が製本された冊子の各見開きページを示す図である。
【図６】原稿画像のレイアウトが指定されて複写された２つ折りされた転写紙を示す図である。
【図７】原稿画像のレイアウトが指定されて複写された４つ折りされた転写紙を示す図である。
【図８】図６または図７に示す転写紙が製本された冊子の各見開きページを示す図である。
【図９】原稿画像のレイアウトが指定されて複写された２つ折りされた転写紙を示す図である。
【図１０】原稿画像のレイアウトが指定されて複写された４つ折りされた転写紙を示す図である。
【図１１】図９または図１０に示す転写紙が製本された冊子の各見開きページを示す図である。
【図１２】原稿画像のレイアウトが指定されて複写された２つ折りされた転写紙を示す図である。
【図１３】原稿画像のレイアウトが指定されて複写された４つ折りされる転写紙を示す図である。
【図１４】図１２または図１３に示す転写紙が製本された冊子の各見開きページを示す図である。
【図１５】図１の主制御部４におけるレイアウト処理の処理手順を示すフローチャートである。
【符号の説明】
１・・・画像読取部、２・・・排紙部、３・・・記憶部、４・・・主制御部、５・・・給紙部、６・・・入力部・表示部、７・・・記録部、８・・・反転部。
【図１】
2004088204.tif 000003
【図２】
2004088204.tif 000004
【図３】
2004088204.tif 000005
【図４】
2004088204.tif 000006
【図５】
2004088204.tif 000007
【図６】
2004088204.tif 000008
【図７】
2004088204.tif 000009
【図８】
2004088204.tif 000010
【図９】
2004088204.tif 000011
【図１０】
2004088204.tif 000012
【図１１】
2004088204.tif 000013
【図１２】
2004088204.tif 000014
【図１３】
2004088204.tif 000015
【図１４】
2004088204.tif 000016
【図１５】
2004088204.tif 000017